(57)【要約】【課題】  部品点数の多い防犯サムターンであっても、左右勝手を考慮することなく、一つの製品で左右勝手に対応可能となる錠構造錠構造を得る。【解決手段】  錠構造において、一定の角度で回動自在な回転入力部を有し回転入力部の一方の回転端でデッドボルトを突出させ、他方の回転端でデッドボルトを引き込む錠箱１と、ボタン２５が押下されることで摘み２３がサムターン筒２７に対して回動自在となり、摘み２３に連動して回動するとともに錠箱１に対し軸線方向に近接配置されることで、一定の角度ごとに回転入力部に嵌入する連結突起を有したサムターンユニット３と、錠箱１とサムターンユニット３との間に亘って設けられ軸線方向に近接配置された錠箱１とサムターンユニット３とを一定の角度ごとに相対回転不能に嵌合する回転規制手段５と、錠箱１とサムターンユニット３とを軸線方向に近接するように付勢する付勢手段７とを設けた。【選択図】      図１
2006183411.tif 000002
【特許請求の範囲】
【請求項１】
一定の角度範囲内で回動自在な回転入力部を有し該回転入力部の一方の回転端でデッドボルトを突出させ、他方の回転端でデッドボルトを引き込む錠箱と、
扉面に突出する摘みがサムターン筒に対して回動自在となり、該摘みに連動して回動するとともに前記錠箱に対し軸線方向に近接配置されることで、前記一定の角度ごとに前記回転入力部に嵌入する連結突起を有したサムターンユニットと、
前記錠箱と前記サムターンユニットとの間に亘って設けられ軸線方向に近接配置された前記錠箱と前記サムターンユニットとを前記一定の角度ごとに相対回転不能に嵌合する回転規制手段と、
前記錠箱と前記サムターンユニットとを前記軸線方向に近接するように付勢する付勢手段と、
を具備したことを特徴とする錠構造。
【請求項２】
前記錠箱に近接配置された前記サムターンユニットの軸線方向の移動を規制するサムターンユニット移動規制手段を具備したことを特徴とする請求項１記載の錠構造。
【請求項３】
前記サムターンユニットの摘みには、ボタンが設けられ、該ボタンが押下されることで前記摘みが前記サムターン筒に対して回動自在とされることを特徴とする請求項１又は２記載の錠構造。
【発明の詳細な説明】
【技術分野】
【０００１】
本発明は、例えば押下操作によってサムターン摘みの回転規制が解除されるボタンを備えた部品点数の多い防犯サムターンに用いて好適な錠構造に関し、さらに詳しくは、左右勝手を同一製品で対応可能とする改良技術に関する。
【背景技術】
【０００２】
扉は、吊り元が右側のものと左側のものとの２種類があり、吊り元が右側である場合には開閉端である戸先が左側となり、吊り元が左側である場合には開閉端である戸先が右側となる。このような扉に施錠装置が設けられる場合には、扉の戸先側に錠箱が内蔵される。このため、右側の戸先に設けられる施錠装置は右勝手用となり、左側の戸先に設けられる施錠装置は左勝手用となる。
【０００３】
錠箱に設けられるサムターンは、その操作を行い易くするため、及びその姿勢位置で施錠状態・解錠状態を容易に視認可能なように摘みが略板状に形成され、この摘みが垂直姿勢が解錠状態となり、水平姿勢で施錠状態となる。通常、この摘みは、操作性、視認性を考慮して回転範囲を９０度の範囲とされ、垂直姿勢から上端側が戸先に向かって回転されることで、解錠状態から施錠状態へ移行し、内蔵の施錠機構が作動して戸先からデッドボルトが突出されるようになっている。このため、右側が戸先となる扉には、施錠状態への摘みの回転方向が右回りとなる右勝手用の錠箱が必要となり、左側が戸先となる扉には、施錠状態への摘みの回転方向が左回りとなる左勝手用の錠箱が必要となる。
【発明の開示】
【発明が解決しようとする課題】
【０００４】
上記のように、扉の吊り元が左右で異なる場合、戸先も左右に異なることから、右勝手用、左勝手用の錠箱が必要となり、すなわち、摘みの垂直姿勢から右回り９０度で解錠から施錠となる機構と、摘みの垂直姿勢から左回り９０度で解錠から施錠となる機構とで２種類が必要となる。従来ではこれらの右勝手（右回り）用、左勝手（左回り）用の２種類の錠箱を、内部構成部材を右勝手用、左勝手用に分けて製作することで、それぞれの扉に対応可能となった錠箱を揃えていた。
しかしながら、例えば摘みにボタンを設け、このボタンの押下により摘みの回動規制を解除するように対策された防犯サムターンなどの錠構造では、左右勝手で異なる部品数が増大し、それぞれの製品コストが高くなる問題があった。
【０００５】
本発明は上記状況に鑑みてなされたもので、例えば摘みを回転規制するボタンを備えた部品点数の多い防犯サムターンであっても、左右勝手を考慮することなく、一つの製品で左右勝手に対応可能となる錠構造錠構造を提供し、もって、防犯サムターンを備えた錠構造のコスト低減を図ることを目的とする。
【課題を解決するための手段】
【０００６】
次に、上記の課題を解決するための手段を、実施の形態に対応する図面を参照して説明する。
本発明の請求項１記載の錠構造は、一定の角度範囲内で回動自在な回転入力部１９を有し該回転入力部１９の一方の回転端でデッドボルト９を突出させ、他方の回転端でデッドボルト９を引き込む錠箱１と、
扉面に突出する摘み２３がサムターン筒２７に対して回動自在となり、該摘み２３に連動して回動するとともに前記錠箱１に対し軸線方向に近接配置されることで、前記一定の角度ごとに前記回転入力部１９に嵌入する連結突起２９を有したサムターンユニット３と、
前記錠箱１と前記サムターンユニット３との間に亘って設けられ軸線方向に近接配置された前記錠箱１と前記サムターンユニット３とを前記一定の角度ごとに相対回転不能に嵌合する回転規制手段５と、
前記錠箱１と前記サムターンユニット３とを前記軸線方向に近接するように付勢する付勢手段７と、
を具備したことを特徴とする。
【０００７】
この錠構造では、サムターンユニット３が、錠箱１から離反方向に移動され、錠箱１に対し所望の位相角度となるように回転された後、再び錠箱１に近接配置されて、回転規制手段５によって嵌合されることで、錠箱１とサムターンユニット３とが所望の相対回転角度で連結可能となる。これにより、同一の錠構造であっても、例えば解錠状態の錠箱１に対し、摘み２３を所定の回転姿勢（垂直姿勢）に回転配置させたサムターンユニット３の連結突起２９を、錠箱１の回転入力部１９へ連結させることで、施錠時に、摘み２３がそれぞれの戸先に向かう回転方向の右勝手用、左勝手用として作動可能となる。
【０００８】
請求項２記載の錠構造は、前記錠箱１に近接配置された前記サムターンユニット３の軸線方向の移動を規制するサムターンユニット移動規制手段を具備したことを特徴とする。  
【０００９】
この錠構造では、サムターンユニット３の軸線方向の移動がサムターンユニット移動規制手段によって規制され、サムターンユニット３が引き出し不能となり、右勝手用、左勝手用への変更が不能となる。
【００１０】
請求項３記載の錠構造は、前記サムターンユニット３の摘み２３には、ボタン２５が設けられ、該ボタン２５が押下されることで前記摘み２３が前記サムターン筒２７に対して回動自在とされることを特徴とする。
【００１１】
この錠構造では、ボタン２５を備えたサムターン、所謂防犯サムターンに適用できることから、サムターンユニット３部分においても、右勝手用、左勝手用への変更に共通のものが使用でき、コスト低減となる。
【発明の効果】
【００１２】
本発明に係る請求項１記載の錠構造によれば、サムターンユニットを錠箱に対し軸線方向に移動自在にし、軸線方向に近接配置された錠箱とサムターンユニットとを一定の角度ごとに相対回転不能に嵌合する回転規制手段を、錠箱とサムターンユニットとの間に亘って設けたので、錠箱の回転入力部に対し、サムターンユニットを錠箱から離反方向に移動させて、錠箱に対し所望の位相角度となるように回転させた後、再び錠箱に近接配置して回転規制手段を嵌合させることで、錠箱とサムターンユニットとを所望の相対回転角度で連結することができる。したがって、同一の錠構造であっても、それぞれの戸先に向かう回転方向の右勝手用、左勝手用として作動させることができるようになる。また、摘みの姿勢（向き）を所望の方向とすることができる。この結果、構成部材が共通化され、製品コストを低減することができる。また、工場出荷段階での左右勝手の容易な変更や、或いは施工現場での左右勝手の容易な変更を可能にすることができる。
【００１３】
請求項２記載の錠構造によれば、サムターンユニット移動規制手段によって、サムターンユニットの軸線方向の移動が規制されるので、通常操作状態でのサムターンユニットの不要な引き出しや、悪戯による左右勝手の変更を防止することができる。
【００１４】
請求項３記載の錠構造によれば、ボタンを備え、このボタンの押下によって摘みがサムターン筒に対して回動自在となるサムターンユニットに、摘みの向き，姿勢を変更可能とすることができ、右勝手用、左勝手用に共通の構成部材を用いることが可能となってコストを低減することが可能となる。
【発明を実施するための最良の形態】
【００１５】
以下、本発明に係る錠構造の好適な実施の形態を図面を参照して詳細に説明する。
図１は本発明に係る錠構造の一部分を切り欠いた斜視図、図２は図１に示した錠構造の分解斜視図、図３は図１の縦断面図、図４はサムターンユニットの連結突起と錠箱の回転入力部との分解斜視図である。
【００１６】
本実施の形態による錠構造は、図１，図２に示すように、錠箱１と、サムターンユニット３と、回転規制手段５と、付勢手段７とを主要な部材に構成されている。
錠箱１は、図示しないラッチボルト、デッドボルト、及びこれらを扉の木口から進退させる錠機構部を内設している。錠箱１のデッドボルトは、扉の屋外側の面に設けたシリンダー錠を合鍵（キー）によって、又は扉の屋内側の面に設けられた後述のサムターン摘み（以下「摘み」と称す）を回動することによって扉の木口から進退可能となっている。
【００１７】
本実施の形態において、錠箱１は、エスカチオン１１によって覆われている。エスカチオン１１は、基板１３と、カバー１５とからなる。エスカチオン１１は、ステンレス材、アルミ材、或いは合成樹脂材からなり、扉の表面材と適合する塗装、表面処理等が適宜施されたものとなっている。このエスカチオン１１は、その変形例としては、錠箱１の外板を同様に形成した共用部材であってもよい。つまり、エスカチオン１１は、錠箱１を覆う別部材であっても、また、同様に形成した錠箱１の外板であってもよい。本実施の形態では、後者、すなわち、エスカチオン１１として形成された基板１３が錠箱１の外板となった例を説明する。
【００１８】
図３に示すように、錠箱１は、ケース１７に基板１３が固定されている。ケース１７には開口が設けられ、この開口には一定の角度、本実施の形態では９０度の範囲を回動自在とされる回転入力部１９が設けられている。この回転入力部１９は、ケース１７に内蔵される図示しない錠機構部に連動連結されており、その回転角度範囲が予め設定されているとともに、その回転端で上記デッドボルトの進退動作、すなわち、一方の回転端でデッドボルト９が突出し、他方の回転端でデッドボルト９が引き込まれる（図６（ｂ）参照）。突出するデッドボルト９は、扉木口に対向する扉枠の係合穴４５に嵌入する。また、この回転入力部１９には、図４に示すように、四角穴２１が形成される。
【００１９】
サムターンユニット３は、屋内側に突出する回動自在な摘み２３を有する。摘み２３には、本実施の形態では、押下可能な一対のボタン２５，２５が表裏に設けられ、摘み２３はボタン２５が押下されることでサムターン筒２７に対して回動自在となる。サムターンユニット３には摘み２３の回動と連動して回動する連結突起２９を摘み２３と反対側に突出させている。この連結突起２９は、錠箱１に設けられた回転入力部１９の四角穴２１に９０度ごとに相対回転不能に嵌合する四角柱で形成されている。サムターンユニット３は、錠箱１に対し軸線方向に近接配置されることで（図３に示した配置位置）、連結突起２９が回転入力部１９に嵌入される。連結突起２９と回転入力部１９とは、一定の角度ごと、すなわち、本実施の形態では、四角穴２１と四角柱（連結突起２９）との組み合わせであることから９０度ごとに嵌入する。
【００２０】
回転規制手段５は、錠箱１とサムターンユニット３との間に亘って設けられる。本実施の形態では、サムターン筒２７と基板１３とに亘って設けられる。回転規制手段５は、基板１３に設けられた段部付きリング３１と、サムターン筒２７の後部外周に設けられた外周段部３３とからなる。この回転規制手段５は、軸線方向に近接配置された基板１３とサムターン筒２７とを、一定の角度（９０度）ごとに相対回転不能に嵌合する。
【００２１】
カバー１５とサムターンユニット３との間には付勢手段７が設けられる。この付勢手段７は、コイルバネなどからなり、このコイルバネ７は錠箱１の基板１３とサムターンユニット３のサムターン筒２７とを軸線方向に近接するように付勢する。一方、サムターンユニット３は、コイルバネ７の付勢力に抗して手前側（室内側）へ引っ張られることで、段部付きリング３１と外周段部３３との係合が外れ、基板１３に対して相対回転自在となる。コイルバネ７は、一端がサムターン筒２７の後部外周に形成されたフランジ３５に当接され、他端がカバー１５の円錐状膨出３７の内側折り曲げ部３９に、スペーサリング４１を介して当接される。
【００２２】
なお、上記の錠構造は、錠箱１に近接配置されたサムターンユニット３の軸線方向の移動を規制する図示しないサムターンユニット移動規制手段を備えるものであってもよい。このサムターンユニット移動規制手段は、例えばカバー１５と、サムターンユニット３とに亘って挿入される軸線直交方向の規制ピンとすることができる。このような錠構造では、サムターンユニット３の軸線方向の移動がサムターンユニット移動規制手段によって規制され、サムターンユニット３が引き出し不能となり、右勝手用、左勝手用への変更が不能となる。
したがって、この錠構造によれば、サムターンユニット移動規制手段によって、サムターンユニット３の軸線方向の移動が規制されるので、通常操作状態でのサムターンユニット３の不要な引き出しや、悪戯による左右勝手の変更を防止することができる。
【００２３】
次に、上記のように構成された錠構造の作用を説明する。
図５は図１に示した錠構造の左右勝手の変更過程を（ａ）（ｂ）に表した動作説明図、図６は錠機構回転範囲、勝手変更前後の摘みと錠箱との関係を（ａ）〜（ｄ）で表した動作説明図である。
上記した構成を有する錠構造は、図５（ａ）に示すように、摘み２３を、コイルバネ７の付勢力に抗して引っ張り（引き出し）、図５（ｂ）に示すように、９０度回転させ、コイルバネ７の付勢力にて戻すことで、摘み２３の回転範囲の位置が変更される。
【００２４】
摘み２３は、両面のボタン２５を押下しなければサムターン筒２７に対して回転することがないことから、ボタン２５を押下しないように摘み２３を摘んで、コイルバネ７の付勢力に抗して引出し、９０度回転させる。手を離せばコイルバネ７の付勢力で再び係合状態となる。サムターン筒２７と基板１３の段部付きリング３１、外周段部３３の組み合わせで、互いが、軸線方向に係合し、周方向（回転方向）には回転しないようになり、連結突起２９と回転入力部１９とが嵌合し、連動連結状態となる。
【００２５】
図６（ａ）に示すように、摘み２３の回転範囲は、錠箱１の内部構造で規制されており、本実施の形態では９０度とされ、内部機構との連結がない場合には、３６０度回転するものとなっている。図６（ｂ）に示すように、右勝手に錠構造が用いられた場合、摘み２３が垂直姿勢で解錠状態であり、右回転して水平姿勢で施錠状態となる。この際、回転入力部１９は、摘み２３の操作と共に９０度の範囲で回動されることとなる。
【００２６】
一方、図６（ｃ）に示すように、図６（ｂ）と同様の構成のまま錠構造が左勝手に用いられた場合、摘み２３が水平姿勢で解錠状態となり、垂直姿勢で施錠状態となる。すなわち図６（ｂ）に示す解錠或いは施錠状態となっている錠機構が左右反転に変更されていながら、摘み２３の姿勢が変更されない図６（ｃ）に示される状態となる。
【００２７】
そこで、本実施の形態による錠構造では、図６（ｄ）に示すように、サムターンユニット３が引き出され（図５参照）、連結突起２９と回転入力部１９との位相が９０度ずらされることで、左勝手であっても摘み２３が垂直姿勢で解錠状態となり、水平姿勢で施錠状態となる。この状態では、左回転で解錠状態から施錠状態となる仕様となる。
【００２８】
ここで、図６中では、回転入力部１９及びこれに嵌入する連結突起２９の各回転向きを容易に判断可能なように、回転入力部１９では太線で示し、また、連結突起２９では三角印を付した。図６（ｂ）に示すように、右勝手（右回転）状態では、太線と三角印とを一致させて連結状態としている。また、図６（ｄ）に示すように、左勝手（左回転）状態では、太線と三角印とが９０度位相、この図においては右へ９０度回転させ、位相をずらしている。なお、図６（ｂ）（ｃ）（ｄ）における左側の図では、右勝手（右回転）状態での解錠状態を左勝手（左回転）状態の施錠状態への変更、右側の図では、右勝手（右回転）状態での施錠状態を左勝手（左回転）状態の解錠状態への変更を示している。
【００２９】
この錠構造では、サムターンユニット３が、錠箱１から離反方向に移動され、錠箱１に対し所望の位相角度となるように回転された後、再び錠箱１に近接配置されて、回転規制手段５によって嵌合されることで、錠箱１とサムターンユニット３とが所望の相対回転角度で連結可能となる。これにより、同一の錠構造であっても、例えば解錠状態の錠箱１に対し、摘み２３を所定の回転姿勢（垂直姿勢）に回転配置させたサムターンユニット３の連結突起２９を、錠箱１の回転入力部１９へ連結させることで、施錠時に、摘み２３がそれぞれの戸先に向かう回転方向の右勝手用、左勝手用として作動可能となる。
【００３０】
したがって、上記の錠構造によれば、サムターンユニット３を錠箱１に対し軸線方向に移動自在にし、軸線方向に近接配置された錠箱１とサムターンユニット３とを一定の角度ごとに相対回転不能に嵌合する回転規制手段５を、錠箱１とサムターンユニット３との間に亘って設けたので、錠箱１の回転入力部１９に対し、サムターンユニット３を錠箱１から離反方向に移動させて、錠箱１に対し所望の位相角度となるように回転させた後、再び錠箱１に近接配置して回転規制手段５を嵌合させることで、錠箱１とサムターンユニット３とを所望の相対回転角度で連結することができる。つまり、同一の錠構造であっても、それぞれの戸先に向かう回転方向の右勝手用、左勝手用として作動させることができるようになる。この結果、構成部材が共通化され、製品コストを低減することができる。また、工場出荷段階での左右勝手の容易な変更や、或いは現場での左右勝手の容易な変更を可能にすることができる。
【００３１】
なお、上述した実施の形態では、右勝手の状態から左勝手へと変更する例について述べたが、左勝手から右勝手に変更する場合も同様で、サムターンユニット３を錠箱１に対して軸線離反方向に移動させ、サムターンユニット３を回転し、再び錠箱１に近接配置して連結することで変更可能である。
【００３２】
また、サムターン摘み２３にボタン２５を備え、このボタン２５を押下することで、摘み２３がサムターン筒２７に対して回動自在となり、施錠或いは解錠の操作が行える例について述べたが、ボタン２５を備えていない、例えば略板状の摘みや、その他の形状の摘みとされた構成のサムターンユニット３としても上記同様の効果を得ることが可能である。
【００３３】
さらに、特に詳述はしていないが、錠機構の内部構造については、上述したような例えば９０度などの一定の角度範囲内を回動し、回転端で施錠・解錠となるものであれば、特に限定されるものではない。
【図面の簡単な説明】
【００３４】
【図１】本発明に係る錠構造の一部分を切り欠いた斜視図である。
【図２】図１に示した錠構造の分解斜視図である。
【図３】図１の縦断面図である。
【図４】サムターンユニットの連結突起と錠箱の回転入力部との分解斜視図である。
【図５】図１に示した錠構造の左右勝手の変更過程を（ａ）（ｂ）に表した動作説明図である。
【図６】錠機構回転範囲、勝手変更前後の摘みと錠箱との関係を（ａ）〜（ｄ）で表した動作説明図である。
【符号の説明】
【００３５】
１…錠箱
３…サムターンユニット
５…回転規制手段
７…付勢手段（コイルバネ）
１９…回転入力部
２３…摘み
２５…ボタン
２７…サムターン筒
２９…連結突起
【図１】
2006183411.tif 000003
【図２】
2006183411.tif 000004
【図３】
2006183411.tif 000005
【図４】
2006183411.tif 000006
【図５】
2006183411.tif 000007
【図６】
2006183411.tif 000008